(57)【特許請求の範囲】
【請求項１】
室内側に向けて開口する嵌合凹所を形成するように対向配置された第１片部及び第２片部を有し、かつ、前記第１片部に前記第２片部側に向けて突出する係合部を設けたアングルを室内側に備えたサッシ枠の該アングルの嵌合凹所に室外側端部が嵌め込まれるように取り付けられるサッシ枠用額縁であって、
木質系材料から形成された額縁本体と、この額縁本体の室外側端部に取り付けられる非木質系材料から形成された取付部材と、を備えており、
前記取付部材には、前記アングルの係合部が係止されて当該サッシ枠用額縁の室内側への移動を規制する被係合部と、前記額縁本体の室外側端面に対する前記額縁本体の厚さ方向に沿う当該取付部材の取付位置の調整を可能とする取付位置調整部と、が設けられていることを特徴とするサッシ枠用額縁。
【請求項２】
請求項１において、
前記取付部材は、前記額縁本体の室外側端面に止具によって取り付けられる構成とされ、前記取付位置調整部は、該止具が挿通される前記額縁本体の厚さ方向に長径の長孔であることを特徴とするサッシ枠用額縁。
【請求項３】
請求項１または２において、
前記額縁本体の室外側端部の表面には、前記アングルの第２片部の室内側の端部を収容する切欠状凹部が形成されていることを特徴とするサッシ枠用額縁。
【請求項４】
請求項１乃至３のいずれか１項において、
前記取付部材は、合成樹脂系材料または金属系材料から形成されており、前記額縁本体の室外側端部に互いに間隔を空けて複数取り付けられるものであることを特徴とするサッシ枠用額縁。
【発明の詳細な説明】
【技術分野】
【０００１】
本発明は、建物の開口部に配設されるサッシ枠の室内側に取り付けられるサッシ枠用額縁に関する。
【背景技術】
【０００２】
従来より、建物の開口部に配設されるサッシ枠（建具枠と称される場合もある。）の室内側に、額縁（窓枠と称される場合もある。）を取り付けた構造が知られている。
例えば、下記特許文献１では、下枠と、上枠と、左右の縦枠とからなる建具枠のそれぞれの室内側に、略コ字形部を有したアングルを設け、このアングルにそれぞれ額縁の室外側を嵌合させる構造とされた建具が提案されている。この建具のアングルは、額縁の裏面に対面し、額縁側に突出する係合部が設けられた見込み面部を有した第１部と、額縁の表面を覆う見込み面部を有した第２部とを備えた構造とされている。また、この建具の額縁は、石膏ボードまたは構造用合板からなり、裏面に、アングルの第１部の係合部を嵌め込む溝を有した構造とされている。これにより、アングルの第１部の係合部が額縁の裏面の溝に係止されて額縁のアングルに対する室内方向への動きが規制される構造とされている。
【先行技術文献】
【特許文献】
【０００３】
【特許文献１】特許第４５５４７１７号公報
【発明の概要】
【発明が解決しようとする課題】
【０００４】
しかしながら、上記特許文献１に記載された建具では、石膏ボードまたは構造用合板からなる額縁の裏面に、アングルの第１部の係合部を嵌め込む溝を形成する必要があるため、加工性や加工精度、係止強度の観点等からは更なる改善が望まれていた。また、このようなサッシ枠は、建物の開口部の下地（上側のまぐさや下側の窓台、左右の柱など）に固定されるものであるが、この下地間の間隔（まぐさから窓台までの開口高や柱間の開口幅）が設定寸法（基準寸法）よりも僅かに大きくまたは小さくなる場合がある。一方、上記のような額縁は、サッシ枠の寸法（建物の開口部の設定寸法）に応じた寸法に予め調整されており、また、一般的には枠組みされた状態でサッシ枠に取り付けられることが多い。そのため、施工現場等において額縁の寸法調整を行うことは、面倒な作業となり、また、困難となる場合もある。このような額縁の室外側の端部を、上記のように下地間の間隔が異なる場合において、アングルに嵌合させる場合には、該アングルの係合部と額縁の溝との係止が十分になされない、または、係止し難くなるということが考えられ、更なる改善が望まれていた。
【０００５】
本発明は、上記実情に鑑みてなされたものであり、加工性を向上し、かつサッシ枠が固定される下地間の寸法が設定寸法と異なるような場合にも取付性や取付強度を向上し得るサッシ枠用額縁を提供することを目的としている。
【課題を解決するための手段】
【０００６】
上記目的を達成するために、本発明に係るサッシ枠用額縁は、室内側に向けて開口する嵌合凹所を形成するように対向配置された第１片部及び第２片部を有し、かつ、前記第１片部に前記第２片部側に向けて突出する係合部を設けたアングルを室内側に備えたサッシ枠の該アングルの嵌合凹所に室外側端部が嵌め込まれるように取り付けられるサッシ枠用額縁であって、木質系材料から形成された額縁本体と、この額縁本体の室外側端部に取り付けられる非木質系材料から形成された取付部材と、を備えており、前記取付部材には、前記アングルの係合部が係止されて当該サッシ枠用額縁の室内側への移動を規制する被係合部と、前記額縁本体の室外側端面に対する前記額縁本体の厚さ方向に沿う当該取付部材の取付位置の調整を可能とする取付位置調整部と、が設けられていることを特徴とする。
【０００７】
本発明においては、前記取付部材を、前記額縁本体の室外側端面に止具によって取り付けられる構成とし、前記取付位置調整部を、該止具が挿通される前記額縁本体の厚さ方向に長径の長孔としてもよい。
また、本発明においては、前記額縁本体の室外側端部の表面に、前記アングルの第２片部の室内側の端部を収容する切欠状凹部を形成するようにしてもよい。
また、本発明においては、前記取付部材を、合成樹脂系材料または金属系材料から形成されたものとし、前記額縁本体の室外側端部に互いに間隔を空けて複数取り付けられるものとしてもよい。
【発明の効果】
【０００８】
本発明に係るサッシ枠用額縁は、上述のような構成としたことで、加工性を向上させることができ、サッシ枠が固定される下地間の寸法が設定寸法と異なるような場合にも取付性や取付強度を向上させることができる。
【図面の簡単な説明】
【０００９】
【図１】本発明の一実施形態に係るサッシ枠用額縁及びこれを用いた額縁取付構造の一例を模式的に示す一部を省略した一部破断概略縦断面図である。
【図２】（ａ）、（ｂ）は、同サッシ枠用額縁を模式的に示し、（ａ）は、一部破断概略背面図、（ｂ）は、（ａ）におけるＸ−Ｘ線矢視に対応させた一部破断概略縦断面図である。
【図３】（ａ）、（ｂ）は、同サッシ枠用額縁を用いた額縁取付構造の他の態様をそれぞれ模式的に示す図１と同様図である。
【図４】本発明の他の実施形態に係るサッシ枠用額縁及びこれを用いた額縁取付構造の一例を模式的に示す一部を省略した一部破断概略縦断面図である。
【発明を実施するための形態】
【００１０】
以下に本発明の実施の形態について、図面に基づいて説明する。
なお、以下の各実施形態では、サッシ枠用額縁を施工した状態を基準として、上下方向や室内外方向等の方向を原則的に説明する。
【００１１】
図１〜図３は、第１実施形態に係るサッシ枠用額縁の一例を模式的に示す図である。
本実施形態に係るサッシ枠用額縁（窓枠）１は、図１に示すように、建物の室内８と室外９とを区画する壁体に形成された開口部２に配設されるサッシ枠（建具枠）３に取り付けられる。
開口部２は、建物の室内８と室外９としての屋外とを区画する壁体に設けられたものでもよく、室内８とこの室内８に隣接する室外９としての廊下や他の室内等とを区画する建物内の間仕切壁体等に設けられたものでもよい。
この開口部２は、サッシ枠３が取り付けられる取付下地５によって四周が区画されている。この取付下地５としては、開口部２の上側を区画するまぐさ等の横架材や、開口部２の下側を区画する窓台等の横架材または床下地、開口部２の左右両側を区画する柱やスタッド等としてもよい。なお、図１及び図４において、符号７で示す部材は、取付下地５の室内側面に沿うように取付下地５に直接的にまたは胴縁等を介して固定される石膏ボードや合板等の板材である。
【００１２】
図１では、サッシ枠として下枠３の一部分を縦断面で示しており、この下枠３と、左右の縦枠（図例では、室内８側から室外９側を見て右側の縦枠の一部分のみを図示している。）３Ａと、図示省略の上枠と、が開口部２の内周に沿うように配設される。これら下枠３、左右の縦枠３Ａ及び上枠の長さ寸法は、開口部２の設定（基準）開口高（上下の取付下地間の寸法）Ｈ及び設定（基準）開口幅（左右の取付下地間の寸法）に応じた寸法に予め調整されている。また、これら下枠３、左右の縦枠３Ａ及び上枠は、開口部２の開口高及び開口幅に、数ｍｍ程度（例えば、±３ｍｍ程度以内）の誤差があった場合にも、その誤差を許容可能なように、互いの長手方向の端部が接合される構成とされている。または、上記のような誤差があった際には、適宜、施工現場等において切断等されることで長さ調整されるものとしてもよく、さらには、飼木（かい物）などのスペーサー等により調整されるものとしてもよい。
また、これら下枠３、左右の縦枠３Ａ及び上枠は、それぞれの長手方向の端部が接合されて枠組みされた状態で開口部２に配設されるものとしてもよい。また、これら下枠３、左右の縦枠３Ａ及び上枠のそれぞれの室外９側に、取付下地５の室外側面に沿うように延びる取付片を設けるようにしてもよい。そして、これら下枠３、左右の縦枠３Ａ及び上枠のそれぞれの取付片を、取付下地５の室外側面に直接的にまたはスペーサー等を介して釘やねじ等の止具によって取り付ける態様としてもよい。
【００１３】
また、これら下枠３、左右の縦枠３Ａ及び上枠によって区画された開口には、該開口を閉鎖または開閉する建具や窓部材等の閉鎖部材４が装着される。この閉鎖部材４としての建具としては、開き戸や引き違い戸、折戸等としてもよく、また、これらに加えて設けられる雨戸や網戸等としてもよい。また、閉鎖部材４としての窓部材としては、引き違い窓や上げ下げ窓、開き窓、折開き窓、滑り出し窓、嵌め殺し窓（ＦＩＸ窓）等としてもよく、また、これらに加えて設けられる雨戸や網戸等としてもよい。また、閉鎖部材４を窓部材とした場合には、腰窓に限られず、天窓や掃き出し窓等としてもよい。
また、このような閉鎖部材４の種類等に応じて、下枠３、左右の縦枠３Ａ及び上枠には、閉鎖部材４のレールや端部収容部（戸当り溝）、回動連結部材やスライド連結アーム等の連結部材等が適宜、設けられる。
【００１４】
また、下枠３の室内８側には、サッシ枠用額縁としての下額縁１が取り付けられるアングル３０が設けられている。また、左右の縦枠３Ａの室内８側には、サッシ枠用額縁としての左右の縦額縁（図例では、室内８側から室外９側を見て右側の縦額縁のみを図示している。）１Ａがそれぞれに取り付けられるアングル３０Ａがそれぞれ設けられている。また、図示は省略しているが、上枠の室内８側にも、サッシ枠用額縁としての上額縁が取り付けられるアングルが設けられている。なお、これら下枠３、左右の縦枠３Ａ及び上枠の各アングルは、概ね同様の構成であるので、以下では、下枠３のアングル３０を例にとって説明する。
【００１５】
アングル３０は、室内８側に向けて開口する嵌合凹所３１を形成するように対向配置された第１片部としての下地側片部３３と、第２片部としての表側片部３８と、を備えており、室内８側に向けて開口する断面略コ字状（略Ｕ字状または略Ｃ字状）とされている（図２（ｂ）も参照）。
また、図例では、このアングル３０を、下地側片部３３を有した第１部材としての下地側部材３２と、表側片部３８を有した第２部材としての表側部材３７と、を備えた二部材からなるものとしている。
下地側部材３２は、取付下地５側（開口部２の見込み面側）に配設される。
表側部材３７は、サッシ枠用額縁（下額縁）１の室外側端部の表面を覆うように、また、下地側部材３２の閉鎖部材４の装着側部位の少なくとも室内８側に露出する表面を覆うように配設される。この表側部材３７は、下枠３、左右の縦枠３Ａ及び上枠のそれぞれの主要部となる下地側部材３２を枠組みして上記のように開口部２に取り付けた後に、枠組みされて、若しくは個別に配設されるものとしてもよい。または、下地側部材３２と表側部材３７とを組み付けた状態で、上記のように左右の縦枠３、下枠３Ａ及び上枠を枠組みして開口部２に取り付けるようにしてもよい。
【００１６】
また、下地側部材３２を、例えば、アルミニウムやアルミニウム合金、ステンレス、炭素鋼等の金属系材料から形成されたものとしてもよい。また、表側部材３７を、例えば、ＰＶＣ（ポリ塩化ビニル）樹脂やＡＢＳ（アクリロニトリルブタジエンスチレン）樹脂等の硬質の合成樹脂系材料から形成されたものとしてもよい。このように、アングル３０の室内８側に露出する部位となる表側部材３７を、合成樹脂系材料から形成されたものとすることで、断熱性を向上させることができ、結露を抑制することができる。また、例えば、サッシ枠用額縁（下額縁）１の色調（例えば、木目調）に合うような着色を施すことも容易となる。また、取付下地５側に配設される下地側部材３２を、金属系材料から形成されたものとすることで、アングル３０（サッシ枠３）の取付強度や耐久性を向上させることができる。
【００１７】
下地側部材３２の下地側片部３３には、表側片部３８側に向けて突出する係合部としての係合突部３３ａが設けられている。
この下地側片部３３の係合突部３３ａは、図例のように下地側片部３３自体を屈曲させた形状として設けるようにしてもよく、または、下地側片部３３に切り起こし状に設けるようにしてもよい。また、この係合突部３３ａは、下地側片部３３の長手方向（左右の縦枠間方向）の全長に亘って設けるようにしてもよく、長手方向に沿って間隔を空けて複数箇所に設けるようにしてもよい。また、図例では、この下地側片部３３の係合突部３３ａよりも室内８側の部位を、嵌合凹所３１を室内８側に向かうに従い拡大させるような傾斜状に形成した例を示している。
【００１８】
また、下地側部材３２は、下地側片部３３の室外９側の端部から取付下地５側に向けて突出するように形成され、取付下地５に当接される下地当接片部３４を備えている。また、下地側部材３２は、下地側片部３３の室外９側の端部から反取付下地５側（開口部２の中心側）に向けて突出するように形成され、表側部材３７に係合して接続される係合部を有した接続片部３５を備えている。この接続片部３５は、嵌合凹所３１の室内８側に向く底面（凹所底面）を構成する。また、下地側部材３２は、この接続片部３５の突出方向途中部位から室外９側に向けて延びるように設けられ、閉鎖部材４等の装着部となる装着片部３６を備えている。
【００１９】
表側部材３７の表側片部３８の室外９側の端部には、下地側部材３２の接続片部３５の係合部と互いに係合する係合部を有した接続片部が設けられており、この接続片部も嵌合凹所３１の室内８側に向く底面（凹所底面）を構成する。つまり、アングル３０の嵌合凹所３１は、下地側部材３２の下地側片部３３と、下地側部材３２の接続片部３５及び表側部材３７の接続片部と、表側部材３７の表側片部３８と、によって区画されている。
また、表側部材３７は、表側片部３８の室外９側の端部に連なるように設けられたカバー片部３９を備えている。このカバー片部３９は、下地側部材３２の接続片部３５の装着片部３６よりも開口部２の中心側部位の室外９側に向く面及び装着片部３６の室内８側部位の開口部２の中心側に向く面を覆い、これらに沿うように形成されている。また、このカバー片部３９及び下地側部材３２の装着片部３６には、互いに係合する係合部が設けられており、互いの係合部を係合させて接続される。
【００２０】
また、これら下地側部材３２と表側部材３７とは、開口部２の開口高に、僅かな誤差があった場合にも、その誤差を許容可能なように、互いに接続される構成とされている。つまり、図１に示すように、設定開口高Ｈとされた開口部２の取付下地５に、下地側部材３２の下地当接片部３４を当接させた状態で、下地側部材３２及び表側部材３７の互いの係合部が互いに僅かに上下動可能に係合する構成とされている。これにより、図３（ａ）に示すように、設定開口高Ｈよりも僅かに大きい開口高Ｈ１とされた開口部２に固定した際には、設定開口高Ｈの状態よりも相対的に下地側部材３２が僅かに下方側に位置することとなるが、この下地側部材３２に対しても表側部材３７の接続が可能とされている。また、図３（ｂ）に示すように、設定開口高Ｈよりも僅かに小さい開口高Ｈ２とされた開口部２に固定した際には、設定開口高Ｈの状態よりも相対的に下地側部材３２が僅かに上方側に位置することとなるが、この下地側部材３２に対しても表側部材３７の接続が可能とされている。
【００２１】
なお、上枠の下地側部材及び表側部材も同様、設定開口高Ｈとされた開口部２の取付下地５に、下地側部材の下地当接片部を当接させた状態で、下地側部材及び表側部材の互いの係合部が互いに僅かに上下動可能に係合する構成とされている。また、左右の縦枠３Ａの下地側部材及び表側部材も概ね同様、設定開口幅とされた開口部２の取付下地に、下地側部材の下地当接片部を当接させた状態で、下地側部材及び表側部材の互いの係合部が互いに僅かに左右動可能に係合する構成とされている。
【００２２】
次に、上記構成とされた下枠３のアングル３０に取り付けられる下額縁１について説明する。なお、左右の縦枠３Ａの各アングル３０Ａに取り付けられる左右の縦額縁１Ａ及び上枠のアングルに取り付けられる上額縁における下額縁１と同様の構成については説明を省略する。
下額縁１は、室外側端部が下枠３のアングル３０の嵌合凹所３１に嵌め込まれるように取り付けられる。
また、下額縁１は、木質系材料から形成された額縁本体１０と、この額縁本体１０の室外側端部１１に取り付けられる非木質系材料から形成された取付部材２０と、を備えている。
【００２３】
額縁本体１０は、略帯板状とされており、図例では、その室内側端部１７を壁体（板材７）の室内側面よりも室内８側に突出させて配設される固定枠状とされている。なお、額縁本体１０の室内側端部１７に、室内８側に向けて開口する凹溝を長手方向に沿って設け、該凹溝にケーシング部材の係合片（調整片）を嵌め込む構造としたケーシング枠状の額縁本体１０としてもよい。
この額縁本体１０の見込み寸法（開口部２が形成された壁体の厚さ方向に沿う寸法、室内外方向に沿う寸法）は、壁厚やアングル３０の嵌合凹所３１の凹所底面から壁体の室内側面までの寸法等に応じて、また、上記した固定枠状かケーシング枠状か等に応じて予め調整されている。
【００２４】
また、この額縁本体１０は、その室外側端部１１が後記する取付部材２０とともにアングル３０の嵌合凹所３１に嵌め込まれる。この額縁本体１０は、その室外側端部１１の裏面（取付下地５側に向く面）に、アングル３０の下地側片部３３を受入可能とした切欠状凹部１４を形成している。また、この切欠状凹部１４が形成されていない部位の額縁本体１０の厚さ寸法を、アングル３０の嵌合凹所３１の凹所幅寸法（両片部３３，３８間寸法）よりも大きく形成している。この切欠状凹部１４は、その段底面（取付下地５側に向く面）から額縁本体１０の表面（開口部２の中心側に向く面）までの厚さ寸法がアングル３０の下地側片部３３の係合突部３３ａと表側片部３８との間の寸法と略同寸法となるように形成されている。
また、この額縁本体１０の室外側端面１２には、釘やねじ等の止具１９の下穴１３が設けられている。この下穴１３は、額縁本体１０の厚さ方向略中心（図例では、切欠状凹部１４が形成された部位の厚さ方向略中心）に設けられている。また、この下穴１３は、図２（ａ）に示すように、額縁本体１０の長手方向に沿って間隔を空けて複数箇所に設けられている。
【００２５】
また、額縁本体１０は、その長手方向両端部が左右の縦額縁１Ａの各額縁本体１０Ａの各長手方向一端部（下端部）に接合される。また、図示は省略しているが、上額縁の額縁本体（１０）も同様、その長手方向両端部が左右の縦額縁１Ａの各額縁本体１０Ａの各長手方向他端部（上端部）に接合される。これら各額縁本体１０，１０Ａの接合態様としては、上下の額縁本体１０の各長手方向両端面に、左右の額縁本体１０Ａの上端部及び下端部の各対向面（開口部２の中心側に向く面）を突き合わせるように接合する、いわゆる縦勝ちで接合する態様としてもよい。または、横勝ちで接合する態様としたり、留め接ぎ状に接合する態様としたりしてもよい。また、これら各額縁本体１０，１０Ａの接合部には、容易に接合可能なように、つまり、容易に枠組み可能なように、ねじ等の止具の下穴やダボ等の接合補助部１６を設けるようにしてもよい。
また、これら各額縁本体１０，１０Ａの長さ寸法は、サッシ枠としての下枠３、左右の縦枠３Ａ及び上枠の長さ寸法に応じた寸法に予め調整されている。図例では、これら下枠３、左右の縦枠３Ａ及び上枠の各アングル３０，３０Ａに、下地当接片部３４を設けた例を示しており、この下地当接片部３４や接合態様、各額縁本体１０，１０Ａの厚さ寸法等を加味して各額縁本体１０，１０Ａの長さ寸法を予め調整するようにしてもよい。また、予め設定されている内法基準寸法に応じた寸法となるように各額縁本体１０，１０Ａの長さ寸法を予め調整するようにしてもよい。
【００２６】
なお、各額縁本体１０，１０Ａは、無垢の木材から形成されたものとしてもよく、または、木質系材料からなる基材の少なくとも室内８側に露出する部位に、適宜、合成樹脂シートや突板等の表面化粧材を貼着して表面化粧処理が施されたものとしてもよい。この基材としては、無垢板や、合板やＬＶＬ（単板積層材）等の木質積層板、パーティクルボード等の木質ボード、インシュレーションボードやＭＤＦ（中密度繊維板）等の木質繊維板などの木質系材料を板状に加工したものが挙げられる。また、上記基材としては、その他、合成樹脂系材料に、木粉や無機フィラー、相溶化剤、着色剤などを所定の含有割合で含有させた木粉・プラスチック複合材（ＷＰＣ）を板状に加工したものとしてもよい。また、上記基材としては、適宜の板状材料を組み合わせて積層した複合基材としてもよい。
【００２７】
取付部材２０は、アングル３０の下地側片部３３の係合突部３３ａが係止されて当該下額縁１の室内８側への移動を規制する被係合部２１を備えている。また、取付部材２０は、額縁本体１０の室外側端面１２に対する額縁本体１０の厚さ方向に沿う当該取付部材２０の取付位置の調整を可能とする取付位置調整部２２を備えている。
この取付部材２０は、本実施形態では、額縁本体１０の長手方向の全長に亘ってその室外側端部１１に取り付けられるものではなく、図２（ａ）に示すように、額縁本体１０の長手方向に沿って互いに間隔を空けて複数取り付けられるものとされている。図例では、額縁本体１０の長手方向に沿って比較的に長尺に形成された取付部材２０を例示している。この取付部材２０の長さ寸法としては、２０ｍｍ〜３００ｍｍ程度としてもよい。また、この取付部材２０を額縁本体１０の室外側端部１１に取り付ける個数は、額縁本体１０の長さ寸法や取付部材２０の長さ寸法等に応じて適宜の個数としてもよく、例えば、２個〜５個程度としてもよい。
【００２８】
また、取付部材２０は、額縁本体１０の室外側端面１２に沿うように取り付けられる構成とされており、その厚さ寸法（額縁本体１０の厚さ寸法に沿う寸法）が、額縁本体１０の切欠状凹部１４が形成された部位の厚さ寸法と略同寸法とされている。
また、この取付部材２０の見込み寸法（壁体の厚さ方向に沿う寸法）は、アングル３０の嵌合凹所３１の凹所深さ寸法（壁体の厚さ方向に沿う寸法）よりも小さく形成されている。
また、図例では、取付部材２０の室外９側の取付下地５側及び反取付下地５側（開口部２の中心側）の両角部に、誘いとしてのＣ面取り状の面取り部をそれぞれに設けた例を示している。
【００２９】
この取付部材２０の被係合部２１は、図１及び図２（ｂ）に示すように、当該取付部材２０の室内８側の取付下地５側の角部を切り欠くように形成された凹段部２１とされている。換言すれば、当該取付部材２０の取付下地５側の室外９側部位を、取付下地５側に向けて突出させ、その室内８側を凹段部２１としている。この凹段部２１は、取付部材２０の長手方向の全長に亘って設けられている。また、この凹段部２１は、取付部材２０を額縁本体１０に取り付けた下額縁１の室外側端部をアングル３０の嵌合凹所３１に嵌め込んだ状態で、アングル３０の下地側片部３３の係合突部３３ａが係止するように取付部材２０に形成されている。また、凹段部２１は、この状態で、取付部材２０の室外９側の面が嵌合凹所３１の凹所底面に当接または近接するように、取付部材２０に形成されている。
つまり、下額縁１の室外側端部をアングル３０の嵌合凹所３１に嵌め込んだ状態では、取付部材２０の室外９側の面が嵌合凹所３１の凹所底面に当接または近接し、当該下額縁１のアングル３０に対する室外９側への移動が規制または抑制される。また、下額縁１の室外側端部をアングル３０の嵌合凹所３１に嵌め込んだ状態では、取付部材２０の凹段部２１に、アングル３０の下地側片部３３の係合突部３３ａが係止し、当該下額縁１のアングル３０に対する室内８側への移動が規制される。
【００３０】
また、本実施形態では、取付部材２０を、額縁本体１０の室外側端面１２に止具１９によって取り付けられる構成とし、取付位置調整部２２を、止具１９が挿通される長孔２２としている。この長孔２２は、額縁本体１０の厚さ方向に長径とされ、また、取付部材２０の見込み方向に貫通している。
また、本実施形態では、長孔２２を、止具１９の胴部が挿通される小径部２３とこの小径部２３よりも大径状とされ、止具１９の頭部が収容される大径部２４とからなる段付孔状としている。
また、本実施形態では、図２（ａ）に示すように、取付部材２０の長手方向に沿って複数箇所（図例では、２箇所）に長孔２２を設けている。上記した額縁本体１０の室外側端面１２に形成された下穴１３は、額縁本体１０の室外側端面１２に取り付けられる複数の取付部材２０のそれぞれの長孔２２，２２の位置に応じた位置となるように設けられている。
【００３１】
これら長孔２２，２２の短径（小径部２３の短径）は、止具１９の胴部の径（呼び径）に応じた径とされている。また、これら長孔２２，２２の長径は、額縁本体１０の室外側端面１２に対する額縁本体１０の厚さ方向に沿う当該取付部材２０の取付位置の調整が可能な径とされている。この長孔２２の長径は、図１及び図２（ｂ）に示すように、止具１９が長孔２２の孔心に位置した状態から長孔２２の長径方向両側に０．５ｍｍ〜数ｍｍ程度、止具１９に対する取付部材２０の移動（上下動）が可能なように設定するようにしてもよい。
また、本実施形態では、取付部材２０に、丸孔状の止具孔２５を設けている。図例では、複数（図例では、２つ）の止具孔２５，２５を設けた例を示している。これら止具孔２５，２５を介して止具を捩じ込むまたは打ち込むことで、額縁本体１０の室外側端面１２に対する取付部材２０の額縁本体１０の厚さ方向に沿う移動をより確実に防止するようにしてもよい。
【００３２】
また、本実施形態では、この取付部材２０は、合成樹脂系材料から上記形状に形成されている。合成樹脂系材料としては、ＰＰ（ポリプロピレン）樹脂や、ＡＢＳ（アクリロニトリルブタジエンスチレン）樹脂、ＰＥ（ポリエチレン）樹脂、ＰＥＴ（ポリエチレンテレフタレート）樹脂、ＰＣ（ポリカーボネート）樹脂、ＰＰＳ（ポリフェニレンサルファイド）樹脂等としてもよい。または、取付部材２０を、アルミニウムやアルミニウム合金、ステンレス、炭素鋼等の金属系材料から上記形状に形成されたものとしてもよい。
【００３３】
次に、上記構成とされた各額縁１，１Ａの施工手順の一例について説明する。
まず、建物の開口部２に、上記のようにサッシ枠としての下枠３、左右の縦枠３Ａ及び上枠を固定する。また、上下の額縁本体１０及び左右の額縁本体１０Ａを接合して枠組みする。この際、上記のように、ねじ等の止具の下穴やダボ等の接合補助部１６を利用して枠組みするようにしてもよい。これら上下の額縁本体１０及び左右の額縁本体１０Ａの接合は、ダボ等の接合補助部１６に加えて、ねじ等の止具を用いて接合するようにしてもよく、これに代えて、または加えて、接着剤等を用いて接合するようにしてもよい。
また、各額縁本体１０，１０Ａの室外側端部１１，１１に、取付部材２０を仮固定する。上記のように、額縁本体１０，１０Ａの室外側端面１２に下穴１３を設けている場合には、この下穴１３に、取付部材２０の長孔２２を介して止具１９を仮止め状態として取付部材２０を仮固定するようにしてもよい。また、この取付部材２０は、各額縁本体１０，１０Ａを枠組みする前に仮固定するようにしてもよく、または枠組みした後に仮固定するようにしてもよい。
【００３４】
そして、下枠３、左右の縦枠３Ａ及び上枠の各アングル３０，３０Ａの下地側片部３３の係合突部３３ａが十分にかつ容易に取付部材２０の凹段部２１に係止するように、各額縁本体１０，１０Ａの室外側端面１２に対して厚さ方向に取付部材２０の取付位置を調整する。この取付部材２０の取付位置の調整は、開口部２の開口高（または開口幅）を実測し、設定開口高Ｈ（または設定開口幅）との乖離度合いに応じて調整するようにしてもよい。または、設定開口高Ｈ（または設定開口幅）の開口部２に固定された各アングル３０，３０Ａの各嵌合凹所３１の凹所幅寸法を設定（基準）幅寸法とし、この設定幅寸法と実測した各嵌合凹所３１の凹所幅寸法との乖離度合いに応じて調整するようにしてもよい。
【００３５】
上記のように取付位置を調整した後、取付部材２０を各額縁本体１０，１０Ａに本固定し、各額縁１，１Ａの室外側端部を、各アングル３０，３０Ａの各嵌合凹所３１に嵌め込むように取り付ける。また、各額縁本体１０，１０Ａと取付下地５との間に飼木（かい物）等のスペーサー６を介在させ、取付下地５に固定されたスペーサー６に対して各額縁本体１０，１０Ａを接着剤等によって固定するようにしてもよい。また、この際、各額縁本体１０，１０Ａの裏面（取付下地５側に向く面）にスペーサー６が当接するように、スペーサー６を適宜、調整するようにしてもよい。
なお、上記施工手順は一例に過ぎず、各部材の機能を阻害しない限りにおいて別手順で行うようにしてもよい。
【００３６】
次に、上記のように各アングル３０，３０Ａに取り付けられた各額縁１，１Ａの取付構造の一例について図１及び図３を参照して説明する。
なお、以下では、下枠３のアングル３０に対する下額縁１の取付構造について説明するが、他の枠のアングルに対する各額縁の取付構造についても概ね同様である。
【００３７】
図１では、上記したように、設定開口高Ｈとされた開口部２に下枠３を固定した状態を示している。この状態を、取付部材２０の額縁本体１０に対する取付位置の設定（基準）位置とし、この設定位置では、取付部材２０の長孔２２の孔心に止具１９が位置している。また、この設定位置では、取付部材２０の反取付下地５側の側面（図示上側面）が額縁本体１０の表面よりも僅かに取付下地５側に位置する。また、この設定位置では、取付部材２０の凹段部２１の段底面（取付下地５側に向く面）と額縁本体１０の切欠状凹部１４の段底面とが略同一平面状とされる。
また、この設定位置に取付部材２０を取り付けた下額縁１を、アングル３０の嵌合凹所３１に嵌め込む際には、アングル３０の下地側片部３３の係合突部３３ａに、取付部材２０の凹段部２１がスムーズに係合する。また、このように嵌め込み、下額縁１をアングル３０に取り付けた状態では、アングル３０の下地側片部３３の係合突部３３ａに、取付部材２０の凹段部２１が十分に係止される。また、このように取り付けた状態では、額縁本体１０の室外側端部１１の表面がアングル３０の表側片部３８に当接する。
【００３８】
図３（ａ）では、上記したように、設定開口高Ｈよりも僅かに大きい開口高Ｈ１とされた開口部２に下枠３を固定した状態を示している。この状態では、図１に示す状態よりもアングル３０の嵌合凹所３１の凹所幅寸法が僅かに大きく、また、下地側片部３３が僅かに下方側に位置する。そのため、この下地側片部３３の係合突部３３ａに取付部材２０の凹段部２１が十分に係止するように、取付部材２０を額縁本体１０の室外側端面１２に対して上記設定位置よりも取付下地５側に位置するように取り付けている。つまり、この状態では、止具１９が上記設定位置よりも取付部材２０の長孔２２の上側部位に位置する。また、この状態では、取付部材２０の反取付下地５側の側面（図示上側面）が上記設定位置よりも僅かに取付下地５側に位置する。また、この状態では、取付部材２０の凹段部２１の段底面（取付下地５側に向く面）が額縁本体１０の切欠状凹部１４の段底面よりも僅かに取付下地５側に位置する。
このように取付部材２０を取り付けた下額縁１を、アングル３０の嵌合凹所３１に嵌め込む際にも、上記同様、アングル３０の下地側片部３３の係合突部３３ａに、取付部材２０の凹段部２１がスムーズに係合する。また、このように嵌め込み、下額縁１をアングル３０に取り付けた状態でも、上記同様、アングル３０の下地側片部３３の係合突部３３ａに、取付部材２０の凹段部２１が十分に係止される。また、このように取り付けた状態では、額縁本体１０の室外側端部１１がアングル３０の表側片部３８を僅かに押し上げるように表側片部３８に僅かに干渉する構成とされている。なお、このような干渉が生じない構成としてもよい。
【００３９】
図３（ｂ）では、上記したように、設定開口高Ｈよりも僅かに小さい開口高Ｈ２とされた開口部２に下枠３を固定した状態を示している。この状態では、図１に示す状態よりもアングル３０の嵌合凹所３１の凹所幅寸法が僅かに小さく、また、下地側片部３３が僅かに上方側に位置する。そのため、この下地側片部３３の係合突部３３ａに取付部材２０の凹段部２１がスムーズに係止するように、取付部材２０を額縁本体１０の室外側端面１２に対して上記設定位置よりも反取付下地５側に位置するように取り付けている。つまり、この状態では、止具１９が上記設定位置よりも取付部材２０の長孔２２の下側部位に位置する。また、この状態では、取付部材２０の反取付下地５側の側面（図示上側面）と額縁本体１０の表面とが略同一平面状とされる。また、この状態では、取付部材２０の凹段部２１の段底面（取付下地５側に向く面）が額縁本体１０の切欠状凹部１４の段底面よりも僅かに反取付下地５側に位置する。
このように取付部材２０を取り付けた下額縁１を、アングル３０の嵌合凹所３１に嵌め込む際にも、上記同様、アングル３０の下地側片部３３の係合突部３３ａに、取付部材２０の凹段部２１がスムーズに係合する。また、このように嵌め込み、下額縁１をアングル３０に取り付けた状態でも、上記同様、アングル３０の下地側片部３３の係合突部３３ａに、取付部材２０の凹段部２１が十分に係止される。また、このように取り付けた状態では、額縁本体１０の室外側端部１１の表面とアングル３０の表側片部３８との間に僅かな隙間が形成される構成とされている。なお、このような隙間が形成されないようにしてもよい。
【００４０】
上記構成とされた本実施形態に係るサッシ枠用額縁１，１Ａによれば、加工性を向上させることができ、サッシ枠３，３Ａが固定される取付下地５間の寸法（開口高及び開口幅）が設定寸法と異なるような場合にも取付性や取付強度を向上させることができる。
つまり、非木質系材料から形成された取付部材２０に、サッシ枠３，３Ａのアングル３０，３０Ａの係合部（係合突部）３３ａが係止されて当該サッシ枠用額縁１，１Ａの室内８側への移動を規制する被係合部（凹段部）２１を設けている。従って、木質系材料から形成された額縁本体１０，１０Ａに被係合部（凹段部）２１を設けた場合と比べて、加工性を向上させることができ、また、アングル３０，３０Ａに取り付ける際に変形し難く、取付強度を向上させることができる。
【００４１】
また、取付部材２０に、額縁本体１０，１０Ａの室外側端面１２に対する額縁本体１０，１０Ａの厚さ方向に沿う当該取付部材２０の取付位置の調整を可能とする取付位置調整部２２を設けている。従って、上記のように、サッシ枠３，３Ａが固定される取付下地５間の寸法が設定寸法と異なるような場合には、額縁本体１０，１０Ａに対して取付部材２０の取付位置の調整を行い、取付部材２０を取り付けることができる。これにより、取付部材２０の凹段部２１に、アングル３０，３０Ａの係合突部３３ａを比較的に容易に係合させることができ、また、比較的に確実に係止させることができる。また、これにより、サッシ枠３，３Ａに対するサッシ枠用額縁１，１Ａの取付性や取付強度を向上させることができる。また、額縁本体１０，１０Ａの寸法の微調整を、例えば、施工現場等において行う必要性が低減される。また、上記のように、額縁本体１０，１０Ａに、容易に枠組み可能なように接合補助部１６が設けられている場合にもこれらを利用して枠組みすることができるので、作業性を向上させることができる。
また、サッシ枠３，３Ａの各アングル３０，３０Ａの各嵌合凹所３１に、サッシ枠用額縁１，１Ａの室外側端部を嵌め込み、各アングル３０，３０Ａの各係合突部３３ａを各取付部材２０の凹段部２１に係止させて取り付けることができる。従って、サッシ枠用額縁１，１Ａを各アングル３０，３０Ａに取り付ける際に、サッシ枠用額縁１，１Ａの室内８側への位置ずれが生じ難くなる。また、サッシ枠用額縁１，１Ａをアングル３０，３０Ａに取り付けるための複数本のねじや釘等の止具を少なく、または不要とすることもできる。これらにより、作業性を向上させることができ、見栄えを向上させることもできる。
【００４２】
また、本実施形態では、取付部材２０を、額縁本体１０，１０Ａの室外側端面１２に止具１９によって取り付けられる構成とし、取付位置調整部２２を、止具１９が挿通される額縁本体１０，１０Ａの厚さ方向に長径の長孔２２としている。従って、上述のように、額縁本体１０，１０Ａに対する取付部材２０の取付位置を、取付部材２０の長孔２２によって調整することができる。また、この長孔２２を介して止具１９を挿通させて取付部材２０を額縁本体１０，１０Ａに対して仮止めした状態で、額縁本体１０，１０Ａに対する取付部材２０の取付位置の微調整を行うことができるので、作業性を向上させることができる。
また、本実施形態では、額縁本体１０，１０Ａの室外側端面１２に、取付部材２０の長孔２２に応じた下穴１３を設けているので、より作業性を向上させることができる。なお、このような下穴１３を設ける態様に代えて、止具１９の止着（捩じ込みまたは打ち込み）箇所の目安となる溝等を設けるようにしたり、または、このような下穴１３や溝等を設けないようにしてもよい。この場合は、額縁本体１０，１０Ａの室外側端部１１の割れ等を抑制する観点等から、厚さ方向略中心に止具１９を止着するようにしてもよい。
【００４３】
また、本実施形態では、取付部材２０を合成樹脂系材料または金属系材料から形成されたものとしているので、加工性や取付強度をより向上させることができる。なお、取付部材２０を、このように合成樹脂系材料または金属系材料から形成されたものとする態様に代えて、木質系材料よりも加工性が良く、凹み等の変形が少ない非木質系材料から形成されたものとしてもよい。
また、本実施形態では、取付部材２０を、額縁本体１０，１０Ａの室外側端部１１に互いに間隔を空けて複数取り付けられるものとしている。従って、例えば、額縁本体１０，１０Ａの全体に亘って取り付けられる長尺とされたものと比べて、低コスト化を図ることができ、また、各アングル３０，３０Ａに対して取り付け易いものとなる。また、異なる長さ寸法のサッシ枠１，１Ａにも容易に適用することができ、汎用性を向上させることができる。なお、複数の取付部材２０を額縁本体１０，１０Ａに取り付ける態様に代えて、単一の取付部材２０を額縁本体１０，１０Ａの室外側端部１１に取り付ける態様としてもよい。この場合は、取付部材２０の長さ寸法を、額縁本体１０，１０Ａの長さ寸法に応じた寸法としてもよく、または、額縁本体１０，１０Ａの長さ寸法よりも短い寸法としてもよい。また、取付部材２０を、適宜、施工現場等において切断等されることで長さ調整されるものとしてもよい。
【００４４】
次に、本発明に係る他の実施の形態について、図面を参照しながら説明する。
図４は、第２実施形態に係るサッシ枠用額縁を模式的に示す図である。
なお、上記第１実施形態との相違点について主に説明し、同様の構成については、同一符号を付し、その説明を省略または簡略に説明する。また、施工手順についても上記第１実施形態と略同様であるので、その説明を省略する。
【００４５】
本実施形態に係るサッシ枠用額縁１Ｂ，１Ｃは、額縁本体１０Ｂ，１０Ｃの構成が、上記第１実施形態とは主に異なる。なお、図４では、下額縁１Ｂ及び一方の縦額縁１Ｃのみを図示しており、また、上額縁及び左右の縦額縁１Ｃについては、下額縁１Ｂと概ね同様の構成であるので、以下では、下額縁１Ｂを例にとって説明する。
本実施形態では、額縁本体１０Ｂの室外側端部１１Ａの表面に、アングル３０の表側片部３８の室内８側の端部を収容する切欠状凹部１５を設けている。図例では、切欠状凹部１５の深さ寸法（額縁本体１０Ｂの厚さ寸法に沿う寸法）を、アングル３０の表側片部３８の厚さ寸法と略同寸法とした例を示している。また、この切欠状凹部１５は、下額縁１Ｂの室外側端部をアングル３０の嵌合凹所３１に嵌め込み、下額縁１Ｂをアングル３０に取り付けた状態で、切欠状凹部１５の段壁面（室外９側に向く面）に、アングル３０の表側片部３８の室内８側の端面が当接するように形成されている。つまり、図例では、下額縁１Ｂをアングル３０に取り付けた状態で、アングル３０の表側片部３８の表面（開口部２の中心側に向く面）と額縁本体１０Ｂの切欠状凹部１５が形成されていない部位の表面とが略面一状となる態様としている。
【００４６】
また、額縁本体１０Ｂの裏面の切欠状凹部１４Ａの深さ寸法（額縁本体１０Ｂの厚さ寸法に沿う寸法）を、上記第１実施形態と比べて小さい寸法としている。本実施形態においても、上記第１実施形態と概ね同様、この切欠状凹部１４Ａの段底面（取付下地５側に向く面）から、表面側の切欠状凹部１５の段底面（開口部２の中心側に向く面）までの厚さ寸法がアングル３０の下地側片部３３の係合突部３３ａと表側片部３８との間の寸法と略同寸法となるように、切欠状凹部１４Ａを形成している。
【００４７】
上記構成とされた本実施形態に係るサッシ枠用額縁１Ｂ，１Ｃにおいても上記第１実施形態と概ね同様の効果を奏する。
また、本実施形態では、額縁本体１０Ｂ，１０Ｃの室外側端部１１Ａの表面に切欠状凹部１５を設けている。従って、額縁本体１０Ｂ，１０Ｃの表面とアングル３０，３０Ａの表側片部３８の表面との段差を比較的に小さくする、または略無くすことができ、見栄えを向上させることができる。
また、この切欠状凹部１５の段壁面に、アングル３０，３０Ａの表側片部３８の室内８側の端面を当接させることで、サッシ枠用額縁１Ｂ，１Ｃのアングル３０，３０Ａに対する室外９側への移動を規制することもできる。
なお、本実施形態では、下額縁１Ｂをアングル３０に取り付けた状態で、アングル３０の表側片部３８の表面と額縁本体１０Ｂの切欠状凹部１５が形成されていない部位の表面とが略面一状となる態様とした例を示しているが、このような態様に限られない。例えば、下額縁１Ｂをアングル３０に取り付けた状態で、アングル３０の表側片部３８の表面と額縁本体１０Ｂの切欠状凹部１５が形成されていない部位の表面との間に僅かに段差が形成されるものとしてもよい。また、下額縁１Ｂをアングル３０に取り付けた状態で、切欠状凹部１５の段壁面とアングル３０の表側片部３８の室内８側の端面との間に僅かな隙間が形成されるものとしてもよい。
【００４８】
また、上記各実施形態では、サッシ枠３，３Ａのアングル３０，３０Ａを、金属系材料から形成された下地側部材３２と、合成樹脂系材料から形成された表側部材３７と、からなるものとした例を示しているが、このような態様に限られない。例えば、これら下地側部材３２及び表側部材３７の両方を金属系材料から形成したものとしてもよく、または、これら下地側部材３２及び表側部材３７の両方を合成樹脂系材料から形成したものとしてもよい。さらには、このように別体とした態様に代えて、サッシ枠３，３Ａのアングル３０，３０Ａを、金属系材料または合成樹脂系材料から上記したような形状に一体的に形成した態様としてもよい。
【００４９】
また、上記各実施形態では、取付部材２０の取付位置調整部を、止具１９が挿通される長孔２２とした例を示しているが、このような態様に限られない。例えば、このような長孔２２に代えて、丸孔状の止具孔を設け、額縁本体１０，１０Ａ，１０Ｂ，１０Ｃの室外側端面１２に対する額縁本体１０，１０Ａ，１０Ｂ，１０Ｃの厚さ方向に沿う取付部材２０の取付位置の調整を可能とした態様としてもよい。また、取付位置調整部としては、例えば、上記したように、取付部材２０の厚さ寸法を、額縁本体１０，１０Ａ，１０Ｂ，１０Ｃの室外側端部１１，１１Ａの厚さ寸法と略同寸法としたり、または、額縁本体１０，１０Ａ，１０Ｂ，１０Ｃの室外側端部１１，１１Ａの厚さ寸法よりも小さくし、当該取付部材２０自体を取付位置調整部として把握するようにしてもよい。この場合は、額縁本体１０，１０Ａ，１０Ｂ，１０Ｃの室外側端面１２に対する取付部材２０の取付位置を調整した後、取付部材２０を接着剤等によって室外側端面１２に取り付ける態様としてもよい。
また、上記各実施形態では、サッシ枠３，３Ａに取り付けられるサッシ枠用額縁として、四方枠状に枠組みされる上額縁、左右の縦額縁及び下額縁を例示したが、このような態様に限られない。例えば、掃き出し窓や建具等のサッシ枠に取り付けられるような場合等において、三方枠状に枠組みされる上額縁及び左右の縦額縁を、各実施形態に係るサッシ枠用額縁として把握するようにしてもよい。このような場合にも、上記と概ね同様の効果を奏する。
【符号の説明】
【００５０】
１，１Ｂ        下額縁（サッシ枠用額縁）
１０，１０Ｂ    額縁本体
１Ａ，１Ｃ      縦額縁（サッシ枠用額縁）
１０Ａ，１０Ｃ  額縁本体
１１，１１Ａ    室外側端部
１２            室外側端面
１５            切欠状凹部
１９            止具
２０            取付部材
２１            凹段部（被係合部）
２２            長孔（取付位置調整部）
３              下枠（サッシ枠）
３０            アングル
３Ａ            縦枠（サッシ枠）
３０Ａ          アングル
３１            嵌合凹所
３３            下地側片部（第１片部）
３３ａ          係合突部（係合部）
３８            表側片部（第２片部）
８              室内
９              室外
【図１】
0005838362.tif 000002
【図２】
0005838362.tif 000003
【図３】
0005838362.tif 000004
【図４】
0005838362.tif 000005